(57)【特許請求の範囲】
【請求項１】
テント倉庫のベースに着脱可能に取付けて前記ベースの四周に所定の空隙を形成する為のスペーサと、該スペーサに取付けて前記ベース及び空隙の上方に所定の収容空間を形成する為のテントフレームとを備えることを特徴とするテント倉庫用構造体。
【請求項２】
前記スペーサは、接地可能なアウトリガを備えている請求項１に記載のテント倉庫用構造体。
【請求項３】
前記スペーサは、ベースの４隅に各々嵌合可能な四つの嵌合体と、前記空隙を形成するために前記嵌合体から延びて前記テントフレームを支持するための板体と、を含むことを特徴とする請求項１または２に記載のテント倉庫用構造体。
【請求項４】
前記嵌合体は、三角箱状の形状を有していることを特徴とする請求項３に記載のテント倉庫用構造体。
【請求項５】
前記嵌合体は、正方形状の底板と、三角形状の天板と、これら底板及び天板の隣接二辺同士を連結する二つの側板と、を備えることを特徴とする請求項３に記載のテント倉庫用構造体。
【請求項６】
前記スペーサは、少なくとも一対の前記嵌合体を連結するための少なくとも一本の連結体を更に備えることを特徴とする請求項３〜５の何れかに記載のテント倉庫用構造体。
【発明の詳細な説明】
【技術分野】
【０００１】
本発明は、荷物を運搬する際に用いられる既存のパレットを利用できるテント倉庫用構造体に関する。
【背景技術】
【０００２】
従来、テント倉庫としては、大型のもの（特許文献１，２参照）や、小型のもの（特許文献３参照）が知られている。
【０００３】
然しながら、前者のものは、通常の荷物やパレットに積載された荷物を収容できるものの、重量が大きくて地面に固定されている場合が殆どであるので、テント倉庫自体や荷物を収容したままのテント倉庫全体をフォークリフト等に依り移動する事ができなかった。他方、後者ものは、通常の荷物を収容できるものの、パレットに積載された荷物を収容したり、テント倉庫自体や荷物を収容したままのテント倉庫全体をフォークリフト等に依り移動する事を想定していなかった。
【先行技術文献】
【特許文献】
【０００４】
【特許文献１】特許第３０６１５６０号公報
【特許文献２】特開平１１−１５９１９７号公報
【特許文献３】実開平６−６７７２４号公報
【発明の概要】
【発明が解決しようとする課題】
【０００５】
要するに、従来のものは、通常の荷物だけでなくパレットに積載した荷物をも収容できると共に、テント倉庫自体や荷物を収容したままのテント倉庫全体をフォークリフト等を用いて移動する事が叶わず、この様なものの出現が望まれていた。
【０００６】
本発明は、叙上の問題点に鑑み、これを解消する為に創案されたもので、その課題とする処は、通常の荷物だけでなくパレットに積載した荷物をも収容できると共に、テント倉庫自体や荷物を収容したままのテント倉庫全体をフォークリフト等に依り移動できる様にしたテント倉庫用構造体を提供するにある。
【課題を解決するための手段】
【０００７】
本発明のテント倉庫用構造体は、基本的には、テント倉庫のベースに着脱可能に取付けて前記ベースの四周に所定の空隙を形成する為のスペーサと、該スペーサに取付けて前記ベース及び空隙の上方に所定の収容空間を形成する為のテントフレームとを備えることに特徴が存する。
【０００８】
テント倉庫のベースとなるパレットの上には、通常の荷物やパレットに積載された荷物が載置されて収容される。
【０００９】
テントフレームにテントシートが着脱可能に被覆されるので、収容された荷物が雨除けや日除けされて保護される。
【００１０】
パレットの四周には、スペーサに依って所定の空隙が形成されているので、その分だけ収容空間が広くなり、荷物がテントフレーム等に接触してこれらが損傷する事がない。とりわけ、パレットに積載された荷物をフォークリフト等に依り出し入れする際には、この事が顕著である。
【００１１】
荷物が収容されたテント倉庫は、荷物の重量に依り安定化されて強風等に依って転倒する惧れがなくなる。
【００１２】
パレットをテント倉庫のベースとして利用すれば、別途ベースを作製する必要がなく、それだけコストの削減を図る事ができる。
【００１３】
テント倉庫のパレットのフォークポケットにフォークリフト等のフォークを挿入すれば、テント倉庫自体及び荷物を収容したテント倉庫全体を移動する事ができる。
【００１４】
スペーサは、接地可能なアウトリガを備えているのが好ましい。この様にすれば、安定性が増大されて強風等に依りテント倉庫が転倒するのを防止できる。
【発明の効果】
【００１５】
本発明に依れば、通常の荷物だけでなくベースに積載した荷物をも収容できると共に、テント倉庫そのものや荷物を収容したままのテント倉庫全体をフォークリフト等に依り移動できる。
【００１６】
また、既存のパレットをベースとして利用することにより、構造が簡単化されると共に、コストの低減を図る事ができる。
【００１７】
また、ベースとなるパレットの四周には、スペーサに依って所定の空隙が形成されるので、このベースとなるパレットの上に、荷物を積載したり、或は同じ大きさのパレットの上に荷物を積載したものを載置する際には、テントフレーム等に衝突する事なくこれらの作業が極めて容易に行える。
【図面の簡単な説明】
【００１８】
【図１】本発明の第一例に係るテント倉庫用構造体を示す正面図。
【図２】図１の側面図。
【図３】図１の背面図。
【図４】図１の平面図。
【図５】パレットとスペーサを示す斜視図。
【図６】ドアシートの折畳み要領を示す側面図。
【図７】本発明の第二例に係るテント倉庫用構造体を示す正面図。
【図８】図７の側面図。
【図９】図７の背面図。
【図１０】図７の平面図。
【図１１】パレットとスペーサを示す斜視図。
【図１２】図７の要部正面図。
【図１３】収縮状態を示す図８と同様図。
【発明を実施するための形態】
【００１９】
以下、本発明の実施の形態を、図面に基づいて説明する。
【００２０】
図１は、本発明の第一例に係るテント倉庫用構造体を示す正面図。図２は、図１の側面図。図３は、図１の背面図。図４は、図１の平面図。図５は、パレットとスペーサを示す斜視図。図６は、ドアシートの折畳み要領を示す側面図である。
【００２１】
テント倉庫１は、パレット２、スペーサ３及びテントフレーム４を備えるテント倉庫用構造体と、テントシート５とからその主要部が構成されている。
【００２２】
パレット２は、フォークポケット６を備えてベースとなるもので、この例では、合成樹脂製で平面正方形状を呈し、四方向にフォークポケット６を備えた「１１型プラスチックパレット（両面使用、四方差）」と呼ばれるものにしてある。
【００２３】
パレット２のフォークポケット６には、図略しているが、倉庫設置現場等に配備されたフォークリフト等のフォークが挿入される。
【００２４】
スペーサ３は、パレット２に着脱可能に取付けられてパレット２の四周に所定の空隙Ａを形成する為のもので、この例では、パレット２の四隅に着脱可能に嵌合される四つの嵌合体７と、これらの隅角部から放射方向に付設された板体８と、これらの先端に立設された柱体９と、前側の隣接する嵌合体７同志を連結する第一連結体１０と、後側と左側と右側の隣接する柱体９同士を連結する第二連結体１１と、接地可能なアウトリガ１２とを備えている。
【００２５】
嵌合体７は、略三角箱状を呈し、平面略正方形状の底板と、平面略三角形状の天板と、これらの隣接する二辺同志を連結する二つの側板とを備えている。
【００２６】
板体８は、縦板状を呈している。柱体９は、丸パイプ製にしてある。
【００２７】
第一連結体１０は、嵌合体７に付設された丸パイプ製の受筒と、これに上から着脱可能に嵌入される倒立略Ｕ型を呈する丸棒製の連結棒とを備えている。
【００２８】
第二連結体１１は、丸パイプ製のものにしてあり、柱体９に付設された支板との間で連結具（ボルト・ナット）に依り着脱可能に取付けられている。
【００２９】
アウトリガ１２は、高さ調整可能なものにしてあり、柱体９の下部に溶接されるナットと、これに螺合されて接地されるボルトとを備えている。
而して、パレット２の四周に形成される空隙Ａのうちフォークが挿入される側の空隙つまり前側の空隙Ａ´は、他の空隙より小さくされている。
【００３０】
テントフレーム４は、スペーサ３に取付けられてパレット２及び空隙Ａの上方に所定の収容空間Ｂを形成する為のもので、この例では、フォークが挿入される前後方向に所定の間隔を置いて配された倒立略Ｕ型の複数（三つ）の門型枠体１３と、前中後の門型枠体１３の上部同士を連結する上位連結体１４と、前後の門型枠体１３を連結する左右一対の中位連結体１５と、前後の門型枠体１４を連結する左右一対の下位連結体１６とを備えている。
【００３１】
門型枠体１４は、天井部１７と、これの両端から垂下された左右の支柱１８とを備えている。
【００３２】
天井部１７は、基本的には、丸パイプ製の弧状材と、これらの下部同士を連結する角パイプ製の梁材とを備えている。中間の天井部１７は、梁材が省略されている。
【００３３】
支柱１８は、角パイプ製にしてあり、基本的には、その上部に天井部１７の下端部が内嵌されると共に、その下部にスペーサ３の柱体９の上端部が内嵌される様になって居り、上部には、天井部１７の下端部を受け止める為の受止具（植付けナット・ボルト）と、天井部５の下端部を固定する為の固定具（植付けナット・蝶ボルト）とが設けられていると共に、下部には、スペーサ３の柱体９の上端部を固定する為の同様の固定具（植付けナット・蝶ボルト）が設けられている。中間の支柱１８は、下半が省略されて居り、中位連結体１５の前後方向の中程に立設されている。
【００３４】
上位連結体１４は、帯板状を呈し、門型枠体１３の天井部１７に取付具（植付けボルト・蝶ナット）に依り着脱可能に取付けられている。
【００３５】
中位連結体１５は、角パイプ製にしてあり、支柱１８に付設された支板との間で連結具（ボルト・ナット）に依り着脱可能に取付けられている。
【００３６】
下位連結体１６は、丸パイプ製のＸ型の筋交いにしてあり、各端部が支柱１８に付設された支板との間で連結具（ボルト・ナット）に依り着脱可能に取付けられている。
【００３７】
テントシート５は、テントフレーム４に着脱可能に被覆されるもので、この例では、ビニール等のシート材料で作製されていると共に、テントフレーム４の下面（底面）を除く前面と後面と左面と右面と上面（天面）を覆うものにしてあり、少なくとも一つの出入口１９と、これを開閉する上方に巻き上げ可能なドアシート２０とを備えている。
【００３８】
つまり、テントシート４の前面には、出入口１９が形成されて居り、ファスナ２１に依り開閉可能なドアシート２０が設けられている。
【００３９】
而して、テントフレーム４とドアシート２０との間には、ドアシート２０を下から半分づつ適数回（三回）だけ折畳んで出入口２２の上方に吊下げ得る折畳み吊下げ手段２２が設けられている。
【００４０】
折畳み吊下げ手段２２は、出入口１９の上方のテントフレーム４の上位連結体１４に設けられた吊下げフック２３と、ドアシート２０の最上位以外の折畳み位置と下端位置とに設けられて吊下げフック２３に掛止可能な吊下げリング２４と、各吊下げリング２４と略同位置に設けられてドアシート２０を緊張させる為のウエイトバー２５とを備えている。
【００４１】
次に、この様な構成に基づいてその作用を述解する。
【００４２】
ファスナ２１に依りドアシート２０を開閉すると、出入口１９が開閉される。
【００４３】
テント倉庫１のベースとなるパレット２の上には、開かれた出入口１９から、通常の荷物やパレットに積載された荷物が載置されて収容される。
【００４４】
パレット２の四周には、スペーサ３に依って所定の空隙Ａが形成されているので、その分だけ収容空間Ｂが広くなり、荷物がテントフレーム４やテントシート５等に接触してこれらが損傷する事がない。とりわけ、ベースとなるパレット２と同じ大きさのパレットに積載された荷物をフォークリフト等に依り出し入れする際には、この事が顕著である。
【００４５】
荷物が収容されたテント倉庫１は、荷物の重量に依り安定化されて強風等に依って転倒する惧れがなくなる。
【００４６】
パレット２をテント倉庫１のベースとして利用するので、別途ベースを作製する必要がなく、それだけコストの削減を図る事ができる。
【００４７】
テント倉庫１のパレット２のフォークポケット６にフォークリフト等のフォークを挿入すれば、テント倉庫１自体及び荷物を収容したテント倉庫１全体を移動する事ができる。
【００４８】
ドアシート２０は、折畳み吊下げ手段２２を用いる事に依り下から半分づつの位置で順次折畳む事ができる。
【００４９】
つまり、図６（Ａ）は、ドアシート２０の伸長状態を示して居り、この様な状態から下位に位置する吊下げリング２４を順次吊下げフック２３に引っ掛けて行くと、図６（Ｂ）に示す如く全体の二分の一、図６（Ｃ）に示す如く全体の四分の一、図６（Ｄ）に示す如く全体の八分の一に折畳む事ができる。
【００５０】
この時、吊下げリング２４の略同位置には、ウエイトバー２５が設けられているので、その自重に依りドアシート２０が常に緊張される。
【００５１】
次に、本発明の第二例を、図７乃至図１３に基づいて説明する。
【００５２】
図７は、本発明の第二例に係るテント倉庫を示す正面図。図８は、図７の側面図。図９は、図７の背面図。図１０は、図７の平面図。図１１は、パレットとスペーサを示す斜視図。図１２は、図７の要部正面図。図１３は、収縮状態を示す図８と同様図である。
【００５３】
第二例は、パレット２とスペーサ３とテントフレーム４を第一例とは異ならせたものであり、とりわけ、テントフレーム４を前後方向に伸縮可能にしたものである。
【００５４】
パレット２は、この例では、合成樹脂製で平面長方形状を呈し、二方向にフォークポケット６を備えた「１４型プラスチックパレット（両面使用、二方差）」と呼ばれるものにしてある。
【００５５】
スペーサ３は、この例では、パレット２の四隅に着脱可能に嵌合される四つの嵌合体７と、これらの側方に付設された板体８と、前側の隣接する嵌合体７同志を連結する第一連結体１０と、接地可能なアウトリガ１２とを備えている。
【００５６】
テントフレーム４は、フォークが挿入される前後方向に所定の間隔を置いて配された倒立略Ｕ型の複数（三つ）の門型枠体１３と、これらを前後方向に伸縮可能に連結する伸縮手段２６と、門型枠体１３を伸縮可能に案内する案内手段２７と、門型枠体１３を伸長状態に掛止する為の掛止手段２８と、門型枠体１３を伸長状態に保つ為の伸長保持手段２９とを備えている。
【００５７】
門型枠体１３は、天井部１７と、これの両端から垂下された左右の支柱１８とを備えている。
【００５８】
最も後側に位置する門型枠体１３の左右の支柱１８は、連結体３０に依りこれらの下部同士が連結されている。連結体３０は、支柱１８に付設された支板との間で連結具（ボルト・ナット）に依り着脱可能に取付けられている。
【００５９】
伸縮手段２６は、この例では、各門型枠体１３の支柱１８間に設けられて上下端のうち一方（下端）が各支柱１８に枢結されて各支柱１８を前後方向に伸縮可能に連結するＸ型リンク３１と、各支柱１８に設けられる上下方向の案内杆３２と、Ｘ型リンク３１の上下端のうち他方（上端）に設けられて各案内杆３２に遊嵌される環体３３とを備えている。
【００６０】
Ｘ型リンク３１は、二つの丸パイプ製のリンクがＸ型にされてその交点が横軸（ボルトと袋ナット）に依り枢結されたものが左右に二つづつ設けられている。
【００６１】
各Ｘ型リンク３１の下端のうち最外端に位置する前後のものは、横軸（植付けボルトとカラーと袋ナット）に依り支柱１８の下側内面に枢結されていると共に、これ以外のものは、隣接するものどうしが重ねられて同一の横軸に依り支柱１８に枢結されている。各Ｘ型リンク３１の上端のうち最外端に位置する前後のものは、横軸（頭部なしボルトと袋ナット）が設けられていると共に、これ以外のものは、隣接するものどうしが重ねられて同一の横軸に依り枢結されている。
【００６２】
案内杆３２は、略横Ｕ型を呈する丸棒製のものにしてあり、両端が各支柱１８の上側内面に溶接に依り取付けられている。
【００６３】
環体３３は、アイナットにしてあり、支柱１８に溶接する前の案内杆３２に挿通されて居り、各Ｘ型リンク３１の上端に設けられた横軸（頭部なしボルト）に螺合して取付けられている。
【００６４】
案内手段２７は、スペーサ３に着脱可能に設けられたガイドレール３４と、門型枠体１３の支柱１８の下部に設けられてガイドレール３４に依り案内される車輪３５とを備えている。最も後側に位置する門型枠体１３には、車輪３５が設けられて居らず、ガイドレール３４の後側上部に設けられた固定体３６に着脱可能に取付けられている。
【００６５】
ガイドレール３４は、上方が開放したチャンネル材と、これのフランジの中央上面に付設されたアングル材と、チャンネル材の前後の下面に垂設された取付板とを備えて居り、各取付板がスペーサ３の板体８に取付具（ボルト・ナット）に依り着脱可能に取付けられている。このガイドレール３４は、前後のスペーサ３同士を連結する連結体（第一例の第二連結体１１に相当する）としても兼用させている。ガイドレール３４の前後の下面には、アウトリガ１２が垂設されている。ガイドレール３４のチャンネル材の前側には、脱輪を防止する為のストッパ（ボルト・ナット）３７が設けられている。
【００６６】
車輪３５は、門型枠体１３の支柱１８の下部に取付けられる略逆Ｕ型を呈するホルダと、これに左右方向軸廻りに回転可能に設けられてガイドレール３４のアングル材上を転動する主輪と、ホルダの左右両側に左右方向軸廻りに回転可能に設けられてガイドレール３４のチャンネル材のウエブに当合して浮き上がりを防止する副輪とを備えている。
【００６７】
掛止手段２８は、門型枠体１３の前側の支柱１８に設けられた支持体３８と、これに昇降及び縦軸廻りに回動可能に設けられて上方位置に掛止し得る略倒立Ｌ型を呈する丸棒製の落し棒３９と、ガイドレール３４の前側に設けられて下降時の落し棒３９が嵌入される丸パイプ製の受筒４０とを備えている。
【００６８】
伸長保持手段２９は、前後の門型枠体１３の支柱１８間に介設されて居り、倒立略Ｕ型を呈する丸棒製の保持杆４１と、支柱１８の内面に溶接に依り設けられて保持杆４１の両端が着脱可能に嵌合される丸パイプ製の受筒４２とを備えている。
【００６９】
折畳み吊下げ手段２２の吊下げフック２３は、テントフレーム４の前側に位置する門型枠体１４の天井部１７の梁材に設けられている。
【００７０】
この様なものは、第一例と同様に使用する事ができるばかりでなく、テントフレーム４を伸縮可能にしたので、テントフレーム４を収縮させる事に依りパレット２を露出する事ができ、荷物の出し入れが容易に行える。
【００７１】
尚、パレット２は、先の例では、合成樹脂製のものであったが、これに限らず、例えば木製等でも良い。
【００７２】
スペーサ３は、先の例では、嵌合体７がパレット２の四隅に嵌合されるものであったが、これに限らず、例えばパレット２の四辺に嵌合されるものであっても良い。
【００７３】
テントシート５は、先の例では、出入口２２が一つであったが、これに限らず、例えば二つ以上でも良い。
【符号の説明】
【００７４】
１…テント倉庫、２…パレット、３…スペーサ、４…テントフレーム、５…テントシート、６…フォークポケット、７…嵌合体、８…板体、９…柱体、１０…第一連結体、１１…第二連結体、１２…アウトリガ、１３…門型枠体、１４…上位連結体、１５…中位連結体、１６…下位連結体、１７…天井部、１８…支柱、１９…出入口、２０…ドアシート、２１…ファスナ、２２…折畳み吊下げ手段、２３…吊下げフック、２４…吊下げリング、２５…ウエイトバー、２６…伸縮手段、２７…案内手段、２８…掛止手段、２９…伸長保持手段、３０…連結体、３１…Ｘ型リンク、３２…案内杆、３３…環体、３４…ガイドレール、３５…車輪、３６…固定体、３７…ストッパ、３８…支持体、３９…落し棒、４０…受筒、４１…保持杆、４２…受筒、Ａ，Ａ´…空隙、Ｂ‥収容空間。
【図１】
0005177918.tif 000002
【図２】
0005177918.tif 000003
【図３】
0005177918.tif 000004
【図４】
0005177918.tif 000005
【図５】
0005177918.tif 000006
【図６】
0005177918.tif 000007
【図７】
0005177918.tif 000008
【図８】
0005177918.tif 000009
【図９】
0005177918.tif 000010
【図１０】
0005177918.tif 000011
【図１１】
0005177918.tif 000012
【図１２】
0005177918.tif 000013
【図１３】
0005177918.tif 000014